【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
２つの向きで、ビデオキャプチャデバイス上でキャプチャされたビデオを符号化する方法であって、
シーンのビデオがキャプチャされているときに、前記ビデオキャプチャデバイスから第１の向きに関する向きデータを読み取ることと、ここにおいて、前記第１の向きは、第１の解像度を有する、
前記シーンの前記ビデオがキャプチャされているときに、前記ビデオキャプチャデバイスが第２の向きに回転されると決定することと、ここにおいて、前記第２の向きは、第２の解像度を有する、
前記ビデオキャプチャデバイスが前記第２の向きにある場合に前記シーンのビデオがキャプチャされているときに、前記ビデオキャプチャデバイスから向きデータを読み取ることと、
前記第１の向きと前記第２の向きとの関係性に基づいて回転行列を生成することと、
前記ビデオキャプチャデバイスが前記第１の向きにある場合にキャプチャされた前記ビデオの前記向きと一致するように、前記ビデオキャプチャデバイスが前記第２の向きにある場合にキャプチャされた前記ビデオのフレームの前記向きを調節することと、
前記ビデオキャプチャデバイスが前記第２の向きにある場合にキャプチャされた前記ビデオの前記調節されたフレームをトリミングすることと、前記トリミングされたフレームは、前記第１の解像度を有する、
前記キャプチャされたビデオの前記トリミングされたフレームを符号化することと
を備える方法。
【請求項２】
前記向きデータは、加速度計またはジャイロスコープからの慣性測定データである、請求項１に記載の方法。
【請求項３】
前記ビデオキャプチャデバイスは、モバイル電話またはタブレットを備える、請求項１に記載の方法。
【請求項４】
前記調節されたキャプチャされたビデオを、前記ビデオキャプチャデバイスのメモリに記憶することをさらに備える、請求項１に記載の方法。
【請求項５】
前記回転されたキャプチャされたビデオは、ビデオ表示機能を有する別のデバイスに送信される、請求項１に記載の方法。
【請求項６】
前記第１の向きは、重力の加速度が前記ビデオキャプチャデバイスの垂直軸とアラインする真の向きである、請求項１に記載の方法。
【請求項７】
前記回転行列は、連続したフレームの重力ベクトルを前記ビデオキャプチャデバイスのＸ−Ｙ平面上に投影することによって決定される回転角度を含む、請求項１に記載の方法。
【請求項８】
前記重力ベクトルを投影することは、前記重力ベクトルのＺ成分を投影することを含まない、請求項７に記載の方法。
【請求項９】
前記回転行列は２×２行列を備える、請求項１に記載の方法。
【請求項１０】
２つの向きで、ビデオキャプチャデバイス上でビデオキャプチャを符号化するためのシステムであって、
シーンのビデオをキャプチャするように構成された画像センサと、
前記ビデオキャプチャデバイスが第１の向きにある場合にシーンのビデオがキャプチャされているときに、前記ビデオキャプチャデバイスから向きデータを提供する、および前記ビデオキャプチャデバイスが第２の向きに回転される場合にシーンのビデオがキャプチャされているときに、前記ビデオキャプチャデバイスから向きを提供するように構成された加速度計またはジャイロスコープのうちの少なくとも１つ備える慣性測定ユニットと、ここにおいて、前記第１の向きは、第１の解像度を有し、前記第２の向きは、第２の解像度を有する、
前記第１の向きと前記第２の向きとの関係性に基づいて回転行列を生成することと、
前記ビデオキャプチャデバイスが前記第１の向きにある場合にキャプチャされた前記ビデオの前記向きと一致するように、前記ビデオキャプチャデバイスが前記第２の向きにある場合にキャプチャされた前記ビデオのフレームの前記向きを調節することと、
前記ビデオキャプチャデバイスが前記第２の向きにある場合にキャプチャされた前記ビデオの前記調節されたフレームをトリミングすることと、前記トリミングされたフレームは、前記第１の解像度を有する、
を行うように構成された回転モジュールを実行するプロセッサと、
前記キャプチャされたビデオの前記トリミングされたフレームを符号化するように構成されたエンコーダと
を備えるシステム。
【請求項１１】
前記ビデオキャプチャデバイスは、モバイル電話またはタブレットを備える、請求項１０に記載のシステム。
【請求項１２】
前記調節されたキャプチャされたビデオを記憶するように構成された記憶装置をさらに備える、請求項１０に記載のシステム。
【請求項１３】
前記調節されたキャプチャされたビデオを、ビデオ表示機能を有する第２のデバイスに送信するための送信機をさらに備える、請求項１０に記載のシステム。
【請求項１４】
２つの向きで、ビデオキャプチャデバイス上でキャプチャされたビデオを符号化するシステムであって、
前記ビデオキャプチャデバイスが第１の向きにある場合にシーンのビデオがキャプチャされているときに、前記ビデオキャプチャデバイスから向きデータを読み取るための手段と、ここにおいて、前記第１の向きは、第１の解像度を有する、
前記シーンの前記ビデオがキャプチャされているときに、前記ビデオキャプチャデバイスが第２の向きに回転されると決定するための手段と、ここにおいて、前記第２の向きは、第２の解像度を有する、
前記ビデオキャプチャデバイスが前記第２の向きにある場合に前記シーンのビデオがキャプチャされているときに、前記ビデオキャプチャデバイスから向きデータを読み取るための手段と、
前記第１の向きと前記第２の向きとの関係性に基づいて回転行列を生成するための手段と、
前記ビデオキャプチャデバイスが前記第１の向きにある場合にキャプチャされた前記ビデオの前記向きと一致するように、前記ビデオキャプチャデバイスが前記第２の向きにある場合にキャプチャされた前記ビデオのフレームの前記向きを調節するための手段と、
前記ビデオキャプチャデバイスが前記第２の向きにある場合にキャプチャされた前記ビデオの前記調節されたフレームをトリミングするための手段と、前記トリミングされたフレームは、前記第１の解像度を有する、
前記キャプチャされたビデオの前記トリミングされたフレームを符号化するための手段と
を備えるシステム。
【請求項１５】
向きデータを読み取るための前記手段は、向きデータを提供するように構成された慣性測定ユニットを備える、請求項１４に記載のシステム。
【請求項１６】
前記慣性測定ユニットデータに基づいて回転行列を生成するための前記手段は、プロセッサによって動作されるように構成された回転モジュールを備える、請求項１４に記載のシステム。
【請求項１７】
前記回転されたキャプチャされたビデオを符号化するための前記手段は、ビデオエンコーダを備える、請求項１４に記載のシステム。
【請求項１８】
命令を記憶するように構成された非一時的なコンピュータ可読媒体であって、前記命令は、プロセッサによって実行されると、
シーンのビデオがキャプチャされているときに、ビデオキャプチャデバイスから第１の向きに関する向きデータを読み取ることと、ここにおいて、前記第１の向きは、第１の解像度を有する、
前記シーンの前記ビデオがキャプチャされているときに、前記ビデオキャプチャデバイスが第２の向きに回転されると決定することと、ここにおいて、前記第２の向きは、第２の解像度を有する、
前記ビデオキャプチャデバイスが前記第２の向きにある場合に前記シーンのビデオがキャプチャされているときに、前記ビデオキャプチャデバイスから向きデータを読み取ることと、
前記第１の向きと前記第２の向きとの関係性に基づいて回転行列を生成することと、
前記ビデオキャプチャデバイスが前記第２の向きに動いた後に前記ビデオが前記第１の向きで符号化されたままになるように、前記ビデオキャプチャデバイスが前記第１の向きにある場合にキャプチャされた前記ビデオの前記向きと一致するように、前記ビデオキャプチャデバイスが前記第２の向きにある場合にキャプチャされた前記ビデオのフレームの前記向きを調節することと、
前記ビデオキャプチャデバイスが前記第２の向きにある場合にキャプチャされた前記ビデオの前記調節されたフレームをトリミングするための手段と、前記トリミングされたフレームは、前記第１の解像度を有する、
前記キャプチャされたビデオの前記トリミングされたフレームを符号化することと
を備える方法を行う、コンピュータ可読媒体。
【請求項１９】
前記向きデータは、加速度計またはジャイロスコープからの慣性測定データである、請求項１８に記載のコンピュータ可読媒体。
【請求項２０】
前記向きデータは、加速度計データである、請求項１８に記載のコンピュータ可読媒体。